Podtech/llm-jp-corpus-v4-ja_patent huggingface dataset:
(57)【要約】【課題】  団扇に芳香剤を付着又は浸み込ませる方式の場合、使用する芳香剤の量が少ない故、短期間で気化してしまい芳香効果が無くなってしまうという問題点があった。【解決手段】  団扇１の弧周上の適宜位置に開度調節ができる複数個の通気孔４ａ、４ｂと挟着部３を設けた芳香剤充填容器２を挟着して芳香を放散させる。【選択図】図１
2013039334.tif 000002
【特許請求の範囲】
【請求項１】
団扇１弧周上の適宜位置に複数の通気孔４ａを有する芳香剤充填容器２を設けた芳香剤充填容器を具備した芳香を放散する団扇。
【請求項２】
芳香剤充填容器２に設けた挟着部３で挟着できる請求項１記載の芳香剤充填容器を具備した芳香を放散する団扇。
【請求項３】
芳香剤充填容器２に設けた複数の通気孔４ａの通気面積が適宜調節できるダンパー５を設けた請求項１記載の芳香剤充填容器を具備した芳香を放散する団扇。
【発明の詳細な説明】
【発明の詳細な説明】
【技術分野】
【０００１】  本発明は、団扇を扇ぐ動作で芳香剤を充填した芳香剤充填容器が揺れ動くことにより、芳香剤の気化を増進して芳香効果を強化する団扇に関する。
【背景技術】
【０００２】  従来、団扇や扇子の紙面等に芳香剤を付着又は浸み込ませ、扇ぐ際に芳香を放つ方式である。【０００３】  芳香剤を紙面に付着又は浸み込ませるため、芳香剤の量が少量である。それ故芳香能力が小さく芳香効果は一時的であり持続期間は非常に短い。【０００４】  芳香剤の芳香能力が無くなれば、ただの風のみを起こす団扇になってしまう。
【発明が解決しようとする課題】
【０００５】  従来、団扇や扇子等の本体紙部分に芳香剤を付着又は浸み込ませる方式の場合、使用する芳香剤の量が少ない故、短期間で気化してしまい芳香効果が無くなってしまうという問題点があった。
【０００６】  本発明は、芳香剤（固体にあっては粒状、液体にあってはスポンジ等に浸透させたもの）を適量、少なくともある程度の芳香効果が持続できる量の芳香剤を充填した芳香剤充填容器を団扇の弧周上に挟着し、芳香効果の増進と持続期間を長く保持することを目的とする。
【課題を解決するための手段】
【０００７】  上記課題を解決するために、請求項１記載に係る芳香剤を充填した芳香剤充填容器を具備した芳香を放散する団扇は次のように構成した。
【０００８】  請求項１：団扇弧周上の適宜位置に複数の通気孔を有する芳香剤を充填した容器を設けた芳香剤充填容器を具備した芳香を放散する団扇。
【０００９】  また、請求項２記載にかかる芳香剤充填容器は、下記に示すように構成した。
【００１０】  請求項２：請求項１記載の芳香剤充填容器において、団扇の弧周上に芳香剤充填容器が挟着でき得るよう、芳香剤充填容器に挟着部を形成する。
【００１１】  更には、請求項３記載にかかる芳香剤充填容器は、下記に示すように構成した。
【００１２】  請求項３：請求項１又は請求項２記載の芳香剤充填容器において、複数の通気孔のそれぞれの通気面積が開度０％から１００％の範囲で調節できるダンパーを設ける。
【発明を実施するための形態】
【００１３】  発明実施の形態を実施例にもとづき図面を参照して説明する。
【００１４】  図１、図２において団扇１の弧周上の適宜位置に芳香剤を充填した芳香剤充填容器２に設けた挟着部３により芳香剤充填容器２を挟着固定した状態を示している。
【００１５】  挟着部３は団扇１を扇ぐ際の往復運動により簡単には外れない。
【００１６】  図３、図４、図５においては芳香剤充填容器２を拡大したものであり、芳香剤充填容器２に複数個の通気孔（芳香剤が飛び出さない大きさ）４ａを適宜位置に配列している。
【００１７】  図６、図７に示すように、芳香剤充填容器２の円周上に手で矢印６方向に回動できるダンパー５を嵌め込んでいる。当該ダンパー５には芳香剤充填容器２に複数個配列した通気孔４ａと所定位置で合致する通気孔４ｂを設けている。
【００１８】  図８はダンパー５を矢印６方向に回し、通気孔４ａを全閉した状態を示す。
【００１９】  団扇１を扇ぐ際の往復運動で芳香剤充填容器２が揺れ動くことにより、複数個ある通気孔４ｂ、４ａを通って芳香剤充填容器内に空気を吸い込み、芳香剤充填容器２に充填している芳香剤が気化し、通気孔４ａ、４ｂを通って芳香を外部へ放散する。
【発明の効果】
【００２０】  本発明にかかる団扇では、芳香剤充填容器を団扇弧周上に設けることで、団扇を扇ぐ際の往復運動で芳香剤充填容器が揺れ動く。このことにより、複数個ある通気孔から芳香剤容器内に空気が出入りする。同時に容器内に充填している粒状芳香剤は容器内を飛び回り芳香剤の気化を促進する。
【００２１】  気化した芳香が通気孔を通して容器外に放散し、人に涼風と芳香の両者を与え、一層の清涼感を提供する。
【００２２】  液体芳香剤の場合は通気性の良い、例えばスポンジ等に含ませて容器内に充填すれば同様の芳香効果がある。
【００２３】  請求項３記載の芳香剤充填容器のダンパーを動かすことにより、通気孔面積を開度０％から１００％まで調節でき、放散量が加減できる。不使用時に開度０％にすれば芳香剤充填容器から外部への放散は無く、芳香剤の気化を防ぎ効能が長持ちする。
【００２４】  容器内の芳香剤が少なくなれば芳香剤を繰り返し補充することにより、芳香効果を保ちながら継続して使用できる。
【００２５】  芳香剤充填容器を団扇に複数個設けることにより、更に芳香度が増す。
【図面の簡単な説明】
【００２６】
【図１】  本発明にかかる芳香剤充填容器を具備した団扇の正面図。
【図２】  図１における側面図。
【図３】  請求項１、請求項２、請求項３記載にかかる芳香剤充填容器の拡大正面図。
【図４】  同、平面図。
【図５】  同、側面図。
【図６】  図３におけるＡ−Ａ線断面拡大図。
【図７】  図３におけるＢ−Ｂ線断面拡大図。
【図８】  請求項３記載にかかるダンパーで通気孔を全閉状態にしたときの図３におけるＡ−Ａ線断面拡大図。
【符号の説明】
【００２７】１  団扇
２  芳香剤充填容器
３  挟着部
４ａ、４ｂ  通気孔
５  ダンパー
６  矢印
７  芳香剤
【図１】
2013039334.tif 000003
【図２】
2013039334.tif 000004
【図３】
2013039334.tif 000005
【図４】
2013039334.tif 000006
【図５】
2013039334.tif 000007
【図６】
2013039334.tif 000008
【図７】
2013039334.tif 000009
【図８】
2013039334.tif 000010
(57)【要約】【課題】  フォークとスプーンの両方を使って食事をする場合、持ち替えるわずらわしさを解消するため、スプーンの一部にフォーク機能を持たせたフォーク機能を持つスプーンを提供する。【解決手段】  スプーンの掬う部分（１）の一部に、柄（２）に対しおよそ平行となるよう１〜３本のスリット（３）を入れて、フォーク機能を持たせる。  スリット（３）はどちらか外側に寄せて入れることにより、掬う機能を持つ部分を半分以上確保させる。【選択図】図１
2013039336.tif 000002
【特許請求の範囲】
【請求項１】
スプーンの掬う部分（１）の一部に、柄（２）に対しおよそ平行となるよう１〜３本のスリット（３）を入れて、フォーク機能を持たせる。
スリット（３）はどちらか外側に寄せて入れることにより、掬う機能を持つ部分を半分以上確保させる。
【発明の詳細な説明】
【技術分野】
【０００１】  この発明は、スプーンの一部分にフォークの機能を持たせたフォーク機能を持つスプーンに関する。
【背景技術】
【０００２】  従来、スプーンは顆粒状や液状、ペースト状の物などを掬う機能を持っており、固形状の物を突き刺す機能は持っていなかった。
【発明の概要】
【発明が解決しようとする課題】
【０００３】  食事のメニューによりフォークとスプーンの両方を使用する場合があり、その都度持ち替えて使用している。
本発明は、このようなわずらわしさを解消するためになされたものである。
【課題を解決するための手段】
【０００４】  スプーンの掬う部分（１）の一部に、柄（２）に対しおよそ平行となるよう１〜３本のスリット（３）を入れて、フォーク機能を持たせる。
スリット（３）はどちらか外側に寄せて入れることにより、本来の掬う機能を持つ部分を半分以上確保させ、スプーン機能を損なわないようにする。
掬う部分を上にして表側を向けた際、右寄りにスリットが入った物が右利き用で、その逆が左利き用となる。
本発明は、以上の構成よりなるフォーク機能を持つスプーンである。
【発明の効果】
【０００５】  フォークとスプーンの機能を合わせ持つ食器であるため、フォークとスプーンを持ち替える手間が省け楽に食事ができる。
また、携帯する場合にも便利である。
【図面の簡単な説明】
【０００６】
【図１】  本発明の平面図である。
【図２】  本発明の斜視図である。
【発明を実施するための形態】
【０００７】  スプーンの掬う部分（１）を上にして表側を向ける。
柄（２）に対しおよそ平行となるよう１〜３本のスリット（３）を右に寄せて入れる。
以上のものは右利き用で、左利きはスリット（３）を左に寄せて入れる。
【符号の説明】
【０００８】１  掬う部分
２  柄
３  スリット
【図１】
2013039336.tif 000003
【図２】
2013039336.tif 000004
(57)【要約】      （修正有）【課題】大勢の子どもの前で布絵本を読み聞かせる際に、読み手が胸の前で布絵本を吊り下げるための器具を提供する。【解決手段】テープ１の細い部分に、吊り下げ用のフック２を設け、テープ１の一端に、長さを調節するためのカン３を設けた装着器具と、リングに、布絵本に取り付けるためのクリップを設ける。布絵本の上部にリングを取り付ける輪が付いているものには、輪に開閉リングをを取り付ける。【選択図】図１
2013039821.tif 000002
【特許請求の範囲】
【請求項１】
輪にできるテープ（１）（３）にフック（２）を設けた装着器具と、絵本に取り付けるリング（４）（５）または（６）との組み合わせ。
【発明の詳細な説明】
【技術文献】
【０００１】  この発明は、図書館や園で読み聞かせをする際に、読み手が胸の前で布絵本を吊り下げるために身体に装着する器具に関するものである。
【技術背景】
【０００２】  従来、布製のやわらかい絵本を立てて読むことは、困難であった。
【先行技術文献】
【０００３】
【発明の概要】
【発明が解決しようとする課題】
【０００４】  従来、やわらかい布製の絵本は、紙製の絵本のように立てて読むことができず、大勢の子どもたちに読み聞かせをする際に、読み手が一人でページをめくり、仕掛けを操作して読み進めていくことは、困難であった。
本発明は、図書館や園での布絵本の読み聞かせをしやすくするためのものである。
【課題を解決するための手段】
【０００５】  テープ（１）にフック（２）を設け、テープ（１）の一端にカン（３）を設ける。
リング（４）にクリップ（５）を設ける。または、開閉リング（６）を用いる。
本発明は、以上の構造によりなる、布絵本を吊り下げるための器具である。
【発明の効果】
【０００６】  布絵本の読み手が、この装着器具２つをたすき掛けのように交差して身体に装着し、リングを取り付けた布絵本をフックに掛けて吊り下げることにより、両手を自由に使って、ページをめくったり仕掛けを操作したりして読み聞かせができる。
【図面の簡単な説明】
【０００７】
【図１】  本発明の、装着器具の斜視図である。
【図２】  本発明の、リングの斜視図である。
【図３】  本発明の、クリップを設けたリングを取り付けた布絵本の斜視図である。
【図４】  本発明の、開閉リングを取り付けた布絵本の斜視図である。
【図５】  本発明の、装着器具とリングの使用図である。
【発明を実施するための形態】
【０００８】  以下、本発明を実施するための最良の形態について説明する。
テープ（１）の細い部分に、吊り下げフック（２）を設け、テープ（１）の一端に、長さ調節をするためのカン（３）を設ける。
リング（４）に、布絵本に取り付けるためのクリップ（５）を設ける。
本発明は、以上のような構造である。
これを使用するときは、先ず、カン（３）にテープ（１）のもう一端を通して輪にする。輪にしたテープ（１）（３）２つを、フック（２）が胸の前にくるようにたすき掛けのように交差して、身体に装着する。
布絵本の各ページの上部を、リング（４）に設けたクリップ（５）ではさみ、リングを取り付ける。上部にリングを取り付ける輪が付いている布絵本には、輪に開閉リング（６）を取り付ける。
装着器具のフック（２）に、リング（４）または（６）を引っ掛けて、胸の前で布絵本を吊り下げて使用する。
【符号の説明】
【０００９】１    テープ
２    フック
３    カン
４    リング
５    クリップ
６    開閉リング
【図１】
2013039821.tif 000003
【図２】
2013039821.tif 000004
【図３】
2013039821.tif 000005
【図４】
2013039821.tif 000006
【図５】
2013039821.tif 000007
(57)【要約】      （修正有）【課題】従来のものより簡易に綴じることが出来、むやみに取り外ずしの出来ぬ、一度綴じればしっかり綴じれるワンタッチ領収書綴じを提供する。【解決手段】綴じ孔に挿入後、挿入先端側を拡張することが出来る綴じ具。【選択図】図２
2013039824.tif 000002
【特許請求の範囲】
【請求項１】
ワンタッチ１つ目・両つ目綴じ・領収書綴じ。
ワンタッチ領収書綴じ。
１０ｍｍ・７ｍｍ・５ｍｍ・３ｍｍの厚みある領収書枚数に耐用できることといたします。
【発明の詳細な説明】
【技術分野】事務用品  文具・文房具。
【背景技術】綴じ紐・リング・ホッチキスなし綴じ等従来にご存います。
【特許文献１】従来のものより領収書は簡易に綴じることが出来、むやみに取り外ずしの出来ぬ、一度綴じればしっかり綴じれるものワンタッチ領収書綴じと考案いたします。
【発明の概要】
綴じ紐で綴じるまでもなく、リングで綴じればバラツクことのものでなく、極簡単にワンタッチ一つ目、又は両つ目で綴じることが出来る目的、しっかり綴じれる事が必要です。
2013039824.tif 000003
【発明が解決しようとする課題】会社・企業における経費等の見直し、不正な経費の流出を正す為の領収書綴じ、簡易な書類等の保管、郵送綴じ等に簡易ご利用していただけます。
【課題を解決するための手段】なおざりになりがちな領収書を簡易にまとめることが決算時には必要である。
【発明の効果】家庭における、いつどこでその商品を行先など一目了然。
あの会社へは、何線を利用、何国道を利用したかなどと、月別に綴じれば本人の足跡を読むことが出来ます。
【発明を実施するための形態】
百貨店・大手小スーパー店・コンビニエンスストアーなどの文具・文房具売場に設けることが出来る。
【図面の簡単な説明】
【図１】本発明の実施例を示す平面図
【図２】本発明の実施例を示す断面図
【図１】
2013039824.tif 000004
【図２】
2013039824.tif 000005
(57)【要約】【課題】ペットボトルキャップを開栓する時、キャップ下部の未開栓確認用のリングが強制的に外れ、又、開栓後にペットボトルに保持できるキャップを提供する。【解決手段】ペットボトルキャップ［１］と、キャップ下部の切断部［５］で構成された未開栓確認用リング［２］であり、リングは、一ヶ所切り割部［４］を設け、その反対側に切断部がない部分の接続部［３］を設けたことを特徴とする。【選択図】図１
2013039973.tif 000002
【特許請求の範囲】
【請求項１】
ペットボトルキャップ［１］と未開栓確認用リング［２］の一部分が接続部［３］で繋がり、その反対側に一ヶ所きり割部［４］を設けたリングが強制的に外れて、キャップが保持できるペットボトルキャップ。
【発明の詳細な説明】
【技術分野】
【０００１】  この発明は、ペットボトルキャップを開栓する時、キャップ下部の未開栓確認用のリングが強制的に外れ、又、開栓後にペットボトルに保持できるキャップに関するものである。
【背景技術】
【０００２】  従来のペットボトルキャップを開栓する時、未開栓確認用のリング部分がペットボトル本体に残った。又、下記の特許文献１のものは、キャップ下部のリングをキャップと同時に取り外すことができるが、構造が複雑であり、ペットボトル全体の構造を変更しなければならず、複雑な金型を必要としていた。
又、従来のペットボトルキャップ保持具には、キャップ保持のために専用の保持部を有する技術がある。（例えば、特許文献２参照）
【先行技術文献】
【０００３】
【特許文献１】特開２００２−２７４５５２号公報
【特許文献２】特開２００１−７２１２０号公報
【発明の概要】
【発明が解決しようとする課題】
【０００４】  これは次のような欠点があった。
▲１▼．キャップを外した後にペットボトルには、異種材料のリングが残っているため再生資源として利用するときには、何らかの道具を使用してリングを除去する必要があり面倒であった。
▲２▼．キャップを外して再び使用するためには、どこかに置いておくか手に持って保管するしかなかった。
本発明は、以上のような欠点をなくすために考えたものである。
【課題を解決するための手段】
【０００５】  以上の課題を解決するために本発明は、ペットボトルキャップ［１］とキャップ下部の切断部［５］で構成された未開栓確認用リング［２］であり、リングは、一ヶ所切り割部［４］を設け、その反対側に切断部がない部分の接続部［３］を設けてある。
本発明は、以上の構成からなるリングが強制的に外れて、キャップが保持できるペットボトルである。
【発明の効果】
【０００６】  ペットボトルのキャップを回転させながら開栓すると、リングがペットボトルの突起部に引っかかり切断部より切り離されるが、接続部があるため、リングはペットボトルの突起部をのり越えようとするとき、リングの切り割部を強制的に切断することができる。又、ペットボトルキャップとリングは接続部があるため接続されている。リングは弾力性があるので、キャップを再使用するときはペットボトルの首部に保持できる。
【図面の簡単な説明】
【０００７】
【図１】本発明のキャップの斜視図である。
【図２】本発明のキャップの側面図［接続部分］である。
【図３】本発明のキャップの側面図［切り割部］である。
【図４】ペットボトルの首部の側面図である。
【図５】本発明のキャップの開栓後の斜視図である。
【発明を実施するための形態】
【０００８】  以下、本発明の実施の形態について説明する。
ペットボトルキャップ［１］とキャップ下部の切断部［５］で構成された未開栓確認用リング［２］であり、リングは、切断部がない部分の接続部［３］を設けて、その反対側に一ヶ所きり割部［４］を設けてある。
本発明は、以上のような構造である。
【実施例】
【０００９】  ペットボトルのキャップ［１］を回転させながら開栓するとリング［２］が、ペットボトルの突起部［６］に引っかかり切断部［５］より切り離されるが、接続部［３］があるため、リング［２］はペットボトルの突起部［６］をのり越えようとするときに、リング［２］の切り割部［４］を切断するために強制的に、又、確実にペットボトルからリング［２］を取り外される。【００１０】  リングは、弾力性があるのでキャップを再使用するときは、ペットボトルの首部に保持することができる。
【符号の説明】
【００１１】    １．ペットボトルキャップ
２．未開栓確認用のリング
３．接続部
４．切り割部
５．切断部
６．突起部
【図１】
2013039973.tif 000003
【図２】
2013039973.tif 000004
【図３】
2013039973.tif 000005
【図４】
2013039973.tif 000006
【図５】
2013039973.tif 000007
(57)【要約】【課題】爪楊枝が容器本体から蓋の回転によって爪楊枝が取り出せる容器である。【解決手段】内部円筒（２）の爪楊枝が、内部円筒（２）に設けた数箇所に１本だけ入る爪楊枝が、回転用蓋（４）を回転することによって、容器本体（１）の容器本体爪楊枝出口（６）に爪楊枝が１本ずつ出るように構成される。【選択図】図２
2013039972.tif 000002
【特許請求の範囲】
【請求項１】
内部円筒（２）の爪楊枝が、内部円筒爪楊枝出口（５）に１本だけ出る出口を数箇所設け、回転用蓋（４）を閉じて内部円筒（２）が連結し、回転用蓋（４）を回転することによって、内部円筒爪楊枝出口（５）から本体爪楊枝出口（６）に爪楊枝が１本ずつ出るように構成される。
【発明の詳細な説明】
【技術分野】
【０００１】この発明は、爪楊枝容器から蓋の回転によって、爪楊枝１本ずつが取り出せる容器である。
【背景技術】
【０００２】従来の爪楊枝入れは、蓋を開けて取り出し蓋を閉じたりしたものである。
【先行技術文献】
【０００３】
【特許文献１】
【非特許文献１】
【発明の概要】
【発明が解決しようとする課題】
【０００４】爪楊枝入れ容器の面倒な蓋の開閉をなくし、又、爪楊枝を取り出す場合数本も取り出したり、容器に戻すことがあった。この発明は、これらの欠点をなくすためになされたものである。
【課題を解決するための手段】
【０００５】容器本体（１）の中に内部円筒（２）を設け、回転用蓋（４）を閉じ内部円筒（２）に連結した回転用蓋（４）を回転することで、爪楊枝が１本ずつ取出すことができる容器である。
【発明の効果】
【０００６】蓋の開閉なく爪楊枝が容易に取り出しが可能になった。又、斬新なデザインにもなった。
【図面の簡単な説明】
【０００７】
【図１】  容器本体の斜視図
【図２】  容器本体の断面図
【図３】  容器本体と蓋の断面正面図
【図４】  容器本体と蓋を開けた状態を示す断面斜視図
【発明を実施するための形態】
【０００８】容器本体（１）の中の内部円筒（２）の爪楊枝が、１本だけ出る内部円筒爪楊枝出口（５）を数箇所設け、回転用蓋（４）を閉じることで、回転用蓋（４）が内部円筒（２）に連結し、回転用蓋（４）を一定方向に回転することによって、内部円筒（２）が回転し、内部円筒爪楊枝出口（５）から容器本体（１）に出し、さらに回転し容器本体爪楊枝出口（６）に出るようにした。又、内部円筒爪楊枝出口（５）や容器本体出口（６）に傾斜を付けることにより爪楊枝受け（７）に出やすくした。
【符号の説明】
【０００９】１  容器本体
２  内部円筒
３  内部円筒蓋
４  回転用蓋
５  内部円筒爪楊枝出口
６  容器本体爪楊枝出口
７  爪楊枝受け
８  スタンド
【図１】
2013039972.tif 000003
【図２】
2013039972.tif 000004
【図３】
2013039972.tif 000005
【図４】
2013039972.tif 000006
(57)【要約】【課題】宴会等での乾杯時に、ジヨッキ感覚での雰囲気をかもし出して、宴会の盛りあげを図れること。又、取っ手をかいすることにより体温による温度上昇の防止、結露による汚れ防止、幼児の缶転倒防止を提供するものである。【解決手段】本発明は、飲料缶ぐい飲みホルダーに、ビール缶や清涼飲料缶等を装着して飲むことにより、缶を直接手に触れずに飲用できるようにしたものである。又、底板を装着することで、底面が広くなり缶の状態を安定させたものである。【選択図】図１
2013039971.tif 000002
【特許請求の範囲】
【請求項１】
３５０ｃｃ、５００ｃｃの飲料缶を、突起（缶押さえ２）の付いた缶と同じ内径の（缶包み３）を（取って４）に装着して飲用するため、ジョッキ感覚での飲用ができる。
【請求項２】
缶に直接触れないので、体温による飲料水の温度上昇を防げる。
【請求項３】
（底板１）の取り付けにより、缶の転倒防止及び、結露による汚れがなくなる。
【発明の詳細な説明】
【技術分野】
【０００１】本発明は、冷ビール缶や清涼飲料缶を保持具をかいして握ることにより、ジョキで飲む雰囲気気をかもすものである。
【背景技術】
【０００２】従来は、直接手で握りしめて飲用していた。
【発明の概要】
【発明が解決しようとする課題】
【０００３】冷ビール缶や清涼飲料缶を手で直接握り締めての飲料では、雰囲気に欠けることや体温による熱伝導で、缶を温めやすい。又、缶の転倒、結露によるテーブル等が汚れるという難点があったので、本発明はこの課題を解消するためになされたものである。
【課題を解決するための手段】
【０００４】冷ビール缶や清涼飲料缶を、熱伝導率の少ない（木、樹脂）取っ手つきの保持具に装着して飲む方法に変えた。
【発明の効果】
【０００５】３５０ｃｃ及び５００ｃｃのビール缶での乾杯時に、ジョッキでの気分が味わえる。又、冷ビールや清涼飲料水の水温上昇防止。及び、缶の転倒、結露によるテーブル汚れが無いので、ダイフキンが不要となる。
【図面の簡単な説明】
【０００６】
【図１】本発明の使用状態を示す斜視図である。
【図２】本発明の平面図である。
【図３】本発明の正面図である。
【発明を実施するための形態】
【０００７】以下、本発明の形態について説明する。
（イ）取っ手４に缶包み３を止めネジ４にて取り付ける。
（ロ）取っ手４に底板１を止めネジ４にて取り付ける。
【符号の説明】
【０００８】１  底板
２  缶押え
３  缶包み
４  取っ手
５  止めネジ
【図１】
2013039971.tif 000003
【図２】
2013039971.tif 000004
【図３】
2013039971.tif 000005
(57)【要約】【課題】ペットボトルなどの飲料容器を持ち運ぶ際、従来の袋型ペットボトルホルダーのように嵩張ったり、汚した場合洗濯する面倒もなく、着脱も容易で、Ｃ字形状やＯ字形状の嵌入フック型のペットボトルホルダーよりもバランスよく容器を手指で簡単に持ち運べる飲料容器吊り下げ保持具を提供する。【解決手段】本体（１）にボトルの蓋部（飲み口下部まで）を差し込み固定できる穴（２）を設け、手指や紐・フックを通しボトルを吊保持できる穴（３）の開いた左右垂れ部分（４）と、着脱が容易となる突起（５）を備え、キーホルダー等吊り下げられる穴（６）を設けた飲料容器吊り下げ保持具を特徴とする。【選択図】図３
2013039937.tif 000002
【特許請求の範囲】
【請求項１】
弾性素材でできた本体（１）にボトルの蓋部（飲み口下部まで）を差し込み固定できる穴
（２）を設け、手指を通し湾曲させて吊保持できる左右垂れ部分（４）を設けた飲料容器
吊り下げ保持具。
【請求項２】
弾性素材でできた本体（１）の着脱容易突起（５）にタグ吊し穴（６）を設けたことを特
徴とする請求項１記載の飲料容器吊り下げ保持具。
【発明の詳細な説明】
【技術分野】
【０００１】
この発明は、手軽にペットボトルなどの飲料容器を持ち運ぶ際に使用する飲料容器吊り下
げ保持具に関するものである。
【背景技術】
【０００２】
近年、ネジ式のキャップで蓋の開閉が可能なペットボトルは、
飲み物を外出時に携帯する水筒代わりとして多くの人々に広く普及されている。
従来ペットボトルを携帯保持する器具として、ペットボトルを袋に入れ、
袋から出た紐（ストラップ）やフックを手首・手指・肩・腰ベルトにかけ吊持する袋状の
物がある。また、ボトルの蓋部にＣ字形状やＯ字形状の嵌入部を取り付け嵌入部の片側か
ら出た紐（ストラップ）やフックを手首・手指・肩・腰ベルトにかけ吊持するフック状の
物もある。
【先行技術文献】
【特許文献】
【０００３】
【特許文献１】特開２００１−１０６２７２
【特許文献２】実用新案出願平１１−６８００
【特許文献３】特開２００５−０７５４５３
【特許文献４】特開２００１−２８６３２４
【特許文献５】特開２００１−３１０９７
【発明の概要】
【発明が解決しようとする課題】
【０００４】
しかし、従来の技術には次のような欠点があった。袋状の技術では、
（イ）ペットボトルを買い換える度にいちいち袋から取り出し着脱するのが面倒である。
（ロ）汗ばんだり、ボトル内の飲料をこぼし汚してしまった場合に袋を洗濯するのが面倒
である。
（ハ）外出先でペットボトルを廃棄した後も嵩張る袋をそのまま持ち歩かねばならない。
（ニ）ボトルの胴の部分を覆ってしまうため中の飲料の種類や残量が識別できなくなり、
グループで行動している場合に所有者が判らなくなる。
（ホ）日常持ち歩いたり、身軽に近所を移動したいウォーキングの際には少々大仰で嵩張
る。
上記の欠点をなくしたとされるフック状の技術では、
（ヘ）Ｃ字形状やＯ字形状の嵌入部の片側からでる紐（ストラップ）やフック一本だけで
ペットボトルを手指や手首に吊し持ち歩くと、バランスが悪く不安定で、歩く動きにつれ
て内容物がランダムに大きく揺れ重たく感じる。
（ト）紐（ストラップ）やフックを肩や腰ベルトにペットボトルを吊して持ち歩くと、歩
く動きにつれ身体にぶつかり不快。
本発明は、以上のような欠点をなくすためになされた物である。
【課題を解決するための手段】
【０００５】
本体（１）にボトルの蓋部（飲み口下部まで）を差し込み固定できる穴（２）を設け、手
指や紐・フックを通しボトルを吊保持できる穴（３）の開いた左右垂れ部分（４）と、着
脱が容易となる突起（５）を備え、キーホルダー等吊り下げられる穴（６）を設けた。穴
（２）と（３）には強度補強のため、穴の周りに厚みをもたせ盛り上げるよう段差を設け
た  。本発明は、以上の構成よりなる飲料容器吊り下げ保持具である。
【発明の効果】
【０００６】
本発明によれば、構造が簡単で薄く小さく、ボトルの蓋部（飲み口下部まで）に差し込み
固定できる穴が弾性素材のため取り外しが簡単である。ボトルを手指によって持ち運べる
ので手軽で便利であり、手指に通す部分が本体の片側だけでなく左右に付いている（左右
垂れ部分）ので、ボトルをバランス良く持つことができ、大きく揺れることを防ぎ軽量に
感じる。ボトル内の飲料の種類や残量がひと目でわかり、保持具を装着したまま飲むこと
が可能である。取り外しも簡単なため汚れても水道水でさっと洗い流せる。外出先でペッ
トボトルを廃棄した後も弾性素材のため小さく折りたため、ポケットなどに収納できる。
キーホルダーやタグが吊せるようになっているので、自分の飲料であることを容易に識別
でき、マネーカードを吊せばこれひとつで身軽に出歩ける。
【図面の簡単な説明】
【０００７】
【図１】本発明装置の上から見た図である。
【図２】本発明装置の側面から見た図である。
【図３】本発明装置のペットボトルに装着した図である。
【図４】本発明装置の実施例である。
【発明を実施するための形態】
【０００８】
以下、本発明を実地するための形態について説明する。
これを使用するときは、布・革・伸縮可能な弾性素材の本体（１）に開く、ボトル蓋部の
直径より少し縮径させた穴（２）に、ボトルの首部（飲み口下部まで）を差し込み固定す
る。左右に垂れた部分に（４）開く穴（３）へ手指を通し、上へ垂れを湾曲させて持ち上
げボトルを吊保持する。保持具をボトルへ着脱する際は、突起部分（４）を（２）が広が
るように引きながら着脱すると容易になる。自分の飲料であることを容易に識別したい場
合は（５）の穴にキーホルダーや名前タグ・名刺カードホルダーを吊り下げる。身軽に外
出したい場合はの穴（６）に定期券・マネーカード等をカードホルダーに入れ吊り下げる
。本発明は以上のような構造である。
【符号の説明】
【０００９】
１  本体
２  蓋部差し込み穴
３  手指差し込み穴
４  左右垂れ湾曲部分
５  着脱容易突起
６  タグ吊し穴      
【図１】
2013039937.tif 000003
【図２】
2013039937.tif 000004
【図３】
2013039937.tif 000005
【図４】
2013039937.tif 000006
(57)【要約】      （修正有）【課題】電気自動車にインホイールモーターシステムを搭載してもホイールが重くならないシステムを提供する。【解決手段】ホイールのハブとリムを連結するディスク部分に伸縮構造を採用することにより駆動用モーターをボディに固定出来る。これによりホイール自体の重量を低減することが出来る。【選択図】図４
2013039902.tif 000002
【特許請求の範囲】
【請求項１】
ハブとリムを連結するディスク部が伸縮する自動車用ホイール。
【発明の詳細な説明】
【技術分野】
【０００１】この発明はインホイールモーターシステムを採用した電気自動車のモーターの重量をボディに固定する為にハブとリムを連結するディスク部分を伸縮式にしたホイールに関するものである。
【背景技術】
【０００２】従来ホイールとモーターは固定されていた。
【発明の概要】
【０００３】従来ホイールとモータは固定されていた為重くなり操安性や乗り心地が悪くなる次点があった
本発明は以上のような欠点をなくすものである。
【課題を解決する為の手段】
【０００４】〔１〕のボディに固定されたモーターを〔２〕の上下に動くホイールの中にセットし〔３〕の伸縮するディスク部で連結したインホイールモーターシステムである。
【発明の効果】
【０００５】ホイールが軽くなるので乗り心地が良くなる。震動によるモーターの痛みがなくなる。
【図面の簡単な説明】
【０００６】
【図１】右側のボディに固定したアームの左側にモーターを固定する。
【図２】ホイールが上下に動くようにサスペンションダンパーで支える。
【図３】ハブ、リム、タイヤ、ホイールを横から見た図。
【図４】伸縮するディスク部の図。
【図１】
2013039902.tif 000003
【図２】
2013039902.tif 000004
【図３】
2013039902.tif 000005
【図４】
2013039902.tif 000006
(57)【要約】      （修正有）【課題】不動産市場において、全国統一不動産データベースを構築し、自由に不動産データを取得できる仕組みを提供する。【解決手段】システム提供者がインターネットに接続されたＷＷＷサーバ上に不動産総合クラウドサービスを開設し、そのサービスの利用を全国の大家または大家から委託された管理会社に促進することで全国統一不動産データベースを構築し、その不動産情報を全国の不動産業に関わる業者が自由に取得できる仕組みを実現する。【選択図】図１
2013156972.tif 000002
【特許請求の範囲】
【請求項１】
当システム提供者がインターネットに接続されたＷＷＷサーバ上に不動産総合クラウドサービスを開設し、そのサービスの利用を全国の大家または大家から委託された管理会社に促進することで全国統一不動産データベースを構築し、その不動産情報を全国の不動産業に関わる業者が自由に取得できる仕組みを実現するシステム。
【発明の詳細な説明】
【発明の詳細な説明】
【技術分野】
【０００１】  本発明は、必ず全国に一意である不動産情報を全国統一不動産データベースとして構築し、全国の不動産業に関連する業者が自由にその情報を取得できる仕組みを提供することで、入力業務の負荷軽減を実現するシステムに関する。
【背景技術】
【０００２】  現状、全ての不動産関連業者はそれぞれ個別に基幹システムや情報データベースを抱えており、同じ不動産情報であってもそれぞれ個別に入力業務を行っている。さらに、同一業者内でも各種利用にあわせて複数のデータ入力を行っているところが多数存在する。
【発明が解決しようとする課題】
【０００３】  本発明の目的は、全国の不動産業に関連する業者が自由に不動産情報を取得できる仕組みを提供することで、入力業務の負荷軽減を実現するシステムを提供することにある。
【課題を解決するための手段】
【０００４】  上述の目的を達成するために、まず、当システム提供者はインターネットに接続されたＷＷＷサーバ上に不動産総合クラウドサービスを開設する。
【０００５】  当システム提供者は、賃貸住宅の所有者、賃貸住宅用不動産を管理する賃貸不動産管理業者、不動産を斡旋する仲介業者、工事・設備などのサービスを提供する工事業者及び不動産を管理する建物管理業者に対し、業務用のシステムをクラウドサービスとして提供する。
【０００６】  当システム提供者は、業務用システム利用者によって集積された不動産情報のうち、公開可能な部分について、自由にデータを取得できる仕組みを提供する。
【０００７】  当業務用システムを利用しない業者や、不動産空き情報を提供するポータルサイト内のシステムにおいても、上記の不動産データを取得できる仕組みより、各システムより入力の手間を省いてのデータ取得が可能となる。
【発明を実施するための形態】
本発明による「不動産業総合クラウドサービスによる不動産情報の全国一元化及び自由提供システム」の実施形態について願書に添付した図面を参照して説明する。
【０００８】  最初に、本発明に係る物理的なシステム構成について説明する。図１に本発明の物理的なシステム構成を示す。本発明の、不動産業総合クラウドサービスによる不動産情報の全国一元化及び自由提供システム▲６▼を利用する者としては、賃貸住宅の所有者、賃貸住宅用不動産を管理する賃貸不動産管理業者▲１▼、入力された不動産情報を業務システムと連動させ使用する不動産を斡旋する仲介業者、工事・設備などのサービスを提供する工事業者及び不動産を管理する建物管理業者▲３▼、その他今後発生する業務システム利用者▲４▼、不動産空き情報を提供するポータルサイト業者▲５▼が挙げられる。また、当業務システムを利用しないが、不動産データ取得にて入力業務を軽減する業者及びシステム▲７▼が挙げられる。
【０００９】  まず、当システム▲６▼の提供者は、賃貸住宅の所有者、賃貸住宅用不動産を管理する賃貸不動産管理業者▲１▼と利用契約を結び、業務システムを提供する。
【００１０】  当システム▲６▼の提供者は、不動産を斡旋する仲介業者、工事・設備などのサービスを提供する工事業者及び不動産を管理する建物管理業者▲３▼、その他今後発生する業務システム利用者▲４▼、動産空き情報を提供するポータルサイト業者▲５▼に対し、賃貸住宅の所有者、賃貸住宅用不動産を管理する賃貸不動産管理業者▲１▼によって入力された不動産情報を、公開可能な範囲内で連動させ使用できる業務システムを提供する。
【００１１】  当システム▲６▼の提供者は、不動産空き情報を提供するポータルサイト業者▲５▼に対し、当システム内で入力された不動産情報のうち、当ポータルサイト業者▲５▼向けに掲載意思のある不動産情報を自由に取得できる仕組みを提供する。また、また、当業務システムを利用しないが、入力業務を軽減する業者及びシステム▲７▼に対して、公開可能な不動産情報を自由に取得できる仕組みを提供する。
【発明の効果】
【００１２】  以上の説明から明らかなように、本発明による「不動産業総合クラウドサービスによる不動産情報の全国一元化及び自由提供システム」によれば、以下に記載されるような効果を奏する。
【００１３】  本発明は、必ず全国に一意である不動産情報を全国統一不動産データベースとして構築し、全国の不動産業に関連する業者が自由にその情報を取得できる仕組みを提供することで、入力業務の負荷軽減を実現する。
【００１４】  また、業務システムを提供することで、各業者は普段の業務を行いながら、最新の不動産情報を常に更新することができる。
【図面の簡単な説明】
【図１】  本発明の「不動産業総合クラウドサービスによる不動産情報の全国一元化及び自由提供システム」の概念を示した説明図である。
【図１】
2013156972.tif 000003
(57)【要約】【課題】  本発明は、鉱物イライトを粉末に水含有させて、放射性セシウムを鉱物セシウム組織内に吸着させ、放射性セシウムが放出する放射線を低減させる技術に関するものである。【解決手段】鉱物イライトを粉末に水含有させて、放射性セシウムを鉱物セシウム組織内に吸着させ、放射性セシウムが放出する放射線を低減させる。【選択図】図１
2013156242.tif 000002
【特許請求の範囲】
【請求項１】
鉱物イライトに水を加え、鉱物イライトの組織内に水を含有させ、放射性セシウムを鉱物イライトの組織内に取り込ますことにより、放射性元素であるセシウムが放出する放射線を低減させる方法。
【発明の詳細な説明】
【技術分野】
【０００１】  本発明は、鉱物イライトを粉末に水含有させて、放射性セシウムを鉱物セシウム組織内に吸着させ、放射性セシウムが放出する放射線を低減させる技術に関するものである。
【背景技術】
【０００２】  従来は、鉱物イライトを使用した放射性元素であるセシウムが放出する放射線を低減させる方法は無かった。
【発明の概要】
【発明が解決しようとする課題】
【０００５】  従来は、鉱物を使用して放射性セシウムが放出する放射線を低減することが出来なかった。そこで、本発明は鉱物イライトを使用した放射性元素であるセシウムが放出する放射線を低減する事ができるようにすることを課題とする。
【課題を解決するための手段】
【０００６】  上記課題を解決するために、請求項１記載の方法は、鉱物イライトに水を加え、鉱物イライトの組織内に水を含有させ、放射性セシウムを鉱物イライトの組織内に取り込ませることを特徴とするものである。
【発明の効果】
【０００７】  本発明は次のような効果を奏する。
請求項１に記載されている発明は、鉱物イライトに水を加え、鉱物イライトの組織内に水を含有させ、放射性セシウムを鉱物イライトの組織内に取り込ませると、放射性セシウムの放射線放出能力を低減させることができる。
【図面の簡単な説明】
【０００８】
【図１】  本発明の概念図である。
【発明を実施するための形態】
【０００９】鉱物イライトを粉状にし、その粉状の鉱物イライトの体積より多い水を加えて水を含有させたもの（以下、「溶液Ａ」という。）を、放射性セシウムが降下した場所に散布することで放射能汚染を低減させる実験をした。
次に、本発明の実施の形態について、実験結果を例にあげて説明をする。
第１例
本発明の放射性放出能力の低減効果を測定するために、放射性セシウム汚染土に、鉱物イライト粉だけを加えて攪拌したものと、鉱物イライト粉に水を混合した溶液と攪拌したものを作成して、双方１時間放置し、放射能の強度をベクレル数で測定した。この時、放射性セシウム汚染土自体の数値を１００とした場合、前者の数値は１００であるが、後者は約７０に低減した。更に２４時間後の数値は、前者が１００と変化ないが、後者は更に約４０と低減した結果を示した。
【実施例】
【００１０】放射性セシウムが降下した地面の上に、溶液Ａを散布し、放射性セシウムと溶液Ａがよく混合するように当該の表土の１〜２ｃｍの部分を耕作し、溶液Ａを塗布していない未処置部分の土と、当該処置した部分の土とを測定した結果、前者未処理の２４時間経過後の放射能強度をベクレル数で表す数値を１００とすると、この値に対して、処置後の土の４日経過の数値は約８０という結果を示した。更に７日経過後の数値は、前者が１００、後者が約６０との結果を示した。
【符号の説明】
【０００８】〔図１〕
１、水分を含有した鉱物イライト
２、放射性セシウム
３、放射線
４、放射線を出せない放射性セシウム
５、水分の未含有鉱物イライトの断面図
６、水分を含有した鉱物イライトの断面図
【図１】
2013156242.tif 000003
(57)【要約】      （修正有）【課題】溶液特有の臭気による空気汚染を防止し、手軽にプレパラ−トを作る。【解決手段】あらかじめ固化しやすい溶液を塗布し、これが固化したプラスチック板１を用意する。アルコール入りマーカー８を用いて、固化している溶液６を一旦アルコ−ルで溶解し、その表面に被検物を圧着し、間もなく固化した溶液６の表面に被検物の表面の形象を残留させる。これによって、全く臭気が発散せずに、きわめて手軽にプレパラ−トが製作できる。【選択図】図２
2013156243.tif 000002
【特許請求の範囲】
【請求項１】
溶液の固化面６をアルコ−ルなどで一旦溶解し、ここに被検物を圧着する。間もなく被検物を剥離すると、被検物の表面の微細な形象が６の表面に残留する。この方法で製作する簡易プレパラ−ト。
【発明の詳細な説明】
【技術分野】
【０００１】  溶液の固化面に被検物の形象をプリントする簡易プレパラ−ト作りは、顕微鏡による観察学習としては便利であるが、教室などで一斉に作業を開始すると、溶液から発生する特有の臭気や気体が、室内の衛生環境を低下させた。この弊害を除去できれば安心してプレパラ−トが作れる。
【背景技術】
【０００２】  従来、広く継承されてきたスライドグラスを用いたプレパラ−トの製法は、非能率的な手順を要し、これが顕微鏡学習のネックになっていた。この改善策が、便利なスンプという方法であった。その特徴はセルロイドが酢酸エチルなどの溶剤に溶けやすいことに着目したもので、セルロイド面を溶剤で軟泥化させ、ここに非検物の表面を圧着して、その形象を残留固定させるという一種のプリント方式であった。しかし、セルロイドは原料高のため、安価なプラスチックに駆逐され、その生産量は激減し、スンプセットの価格に影響した。一方、プラスチックは溶剤に溶けにくく、セルロイドの代用には不適であった。
【発明の開示】
【発明が解決しようとする課題】
【０００３】  知的好奇心が豊かな児童・生徒は、短時間のうちに多くの資料を観察したいという要望が強い。即ちスンプを越える能率的なプレパラ−ト作りの発明が嘱望された。スンプは酢酸アミルなどの溶剤のほか、溶剤を塗布する刷毛、セルロイドを嵌め込む厚紙の枠、や接着剤などが必要で、価格的にも作成手順にも抵抗があった。プレパラ−トが室内だけでなく観察したい資料の多い野外などでもワンタッチで作れたら、貪欲な科学心や好奇心を満たすことができよう。
この課題解決の手段として、手軽に入手できるプラスチック板を活用する方策の実現に固執した。まず、プラスチック板の表面に固化しやすい溶液を塗り、ここに観察したい被検物を圧着して、まもなく固化した面に被検物の形象が残留するという着想である。
【発明を実施するための最高の形態と実施例】
【０００４】  以下、本発明の実施要領を図面によって説明する。
【０００５】  図１はプラスチック板に、固化しやすい溶液を入れた容器から、溶液を押し出している状態を示した。１は薄いプラスチック板、２は表示スペ−ス、３は容器、４は溶液、５は容器の口部、６は押し出された溶液、７は手を示す。溶液には酢酸エチル、酢酸ブタン、イソプロパノ−ルなどの透明で、速乾性がある液体が望ましい。これらの溶液は特有の臭気を放つので使用中注意を要する。女性が愛用するマニキュア液の多くは、上記の化合物が主剤であり、本発明で用いる溶液と類似している。
プラスチック板に塗布した溶液が固化する直前に、被検物を圧着して固化面に被検物の表面の形象を残留させる方法も検討したが、教室等で一斉に作業を開始すると、溶液特有の臭気が室内に拡散して、不快な気分を訴える者が出るなど学習環境の低下を招くことが予想された。
その対策として図１のごとくプラスチック板に溶液を塗布する作業は、空調設備がある工場等で行うことが望ましい。塗布した溶液は間もなく固化し、同時に臭気も全く消失する。
顕微鏡観察学習の展開前に、このプラスチック板と図２の８のごときアルコ−ル入りのマ−カ−も渡す。図２は固化した溶液６に、これを溶解するためのアルコ−ルを、マ−カ−で塗布する状態を示した。この図２の場合、６からの臭気は全く発生せず、わずかにアルコ−ルの芳香が漂うだけである。
次に、６に塗布したアルコ−ルで一時的に溶解した６の表面に、図３のごとく被検物を載せて、約１０秒間ほど指で強く圧迫したら、ゆっくりと取り除く。すでに再び固化した溶剤の表面には、被検物の微細な形象が転写されて残留する。固化しやすい溶液を用いた簡易プレパラ−トの製作法である。
完成後、資料名などを記録する場合は、２のスペ−スに直接サインペンなどで記載できるので、従来のようにラベルなどを必要としない。各種の繊維、蝶の鱗粉、岩石・鉱物の粉末、花粉などは、図２のアルコ−ル塗布後に直ちに接触か散布するだけでよい。
【産業上の利用可能性】
【０００６】  従来のプレパラ−ト作製工程に比べて、極めて手軽で、低学年の児童にも短時間で作れるだけでなく、溶液特有の臭気発散や空気汚染の問題が生じないから、安心して顕微鏡観察ができる。特に単位時間内に多数の被検物を、つぎつぎに観察できるので、エキサイテイングな楽しい学習が期待できる。用品の数も少なく必要な溶液やアルコ−ルも微量で済み、また、プラスチック板も安価な普通の製品でよいので、教材の費用も少なくて済むから歓迎されるであろう。なおプラスチック板は青か緑の有色板が観察に適する。この開発によって、とかく敬遠されがちであった顕微鏡観察学習の頻度も増加するであろう。したがって教育産業の促進にも役立つ。
【図面の簡単な説明】
【０００７】
【図１】  プラスチック板に速乾性の溶剤を滴下する状態の一例を示した斜視図。
【図２】  固結している溶剤面にアルコ−ルを塗布する斜視図
【図３】  アルコ−ルで一旦溶解した溶剤面に被検物を載せ、指で圧着している状態
【図４】  完成後、プラスチック板の側端２のスペ−スに被検物を表示した例
【符号の説明】
【０００８】  １  プラスチック板
２  表示スペ−ス
３  溶液の容器
４  溶液
５  容器の口部
６  押し出された溶液
７  手
８  アルコ−ル入りのペン軸
９  アルコ−ルの滲出部
１０  被検物
１１  指
【図１】
2013156243.tif 000003
【図２】
2013156243.tif 000004
【図３】
2013156243.tif 000005
【図４】
2013156243.tif 000006
(57)【要約】【課題】  本発明は、自転車等の車輪からの衝撃を小さくするために工夫した車輪内部の構造で、ショックアブリーバーを内蔵した自転車、および車輪の内部にショックアブリーバーを装着した車輪を提供する。【解決手段】  ショックアブリーバーの外周（１）の内部に中心部の軸受け（３）に向って渦巻状渦巻きバネ（２）を設け、中心部を軸受け（３）とし、ショックアブリーバーの外周（１）と渦巻状渦巻きバネ（２）を外周とバネを固定する鋲（９）によって固定し、なおかつ車軸（１０）とバネを固定する凸凹の組合せ部（８）により固定し、ショックアブリーバーの横ブレを防ぐ座金（７）と車軸（１０）とバネを固定する凸凹の組合せ部（８）を外周とバネを固定する鋲（９）により、同時に固定したことを特徴とした車輪の内部にショックアブリーバーを装着した車輪。【選択図】図３
2013216298.tif 000002
【特許請求の範囲】
【請求項１】
ショックアブリーバーの外周（１）の内部に中心部の軸受け（３）に向って渦巻状渦巻きバネ（２）を設け、中心部を軸受け（３）とし、ショックアブリーバーの外周（１）と渦巻状渦巻きバネ（２）を外周とバネを固定する鋲（９）によって固定し、なおかつ車軸（１０）とバネを固定する凸凹の組合せ部（８）により固定し、ショックアブリーバーの横ブレを防ぐ座金（７）と車軸（１０）とバネを固定する凸凹の組合せ部（８）を外周とバネを固定する鋲（９）により、同時に固定したことを特徴とした車輪の内部にショックアブリーバーを装着した車輪。
【発明の詳細な説明】
【技術分野】
【０００１】  本発明は、自転車等の車輪からの衝撃を小さくするために工夫した車輪内部の構造で、ショックアブリーバーを内蔵した自転車、および、車輪の内部にショックアブリーバーを装着した車輪に関するものである。
【背景技術】
【０００２】  従来、路面の凸凹や段差等の状況により、自転車、および、車輌の車輪からの衝撃が大きかった。
本発明は、車輪の内部に渦巻状渦巻きバネを用いたショックアブリーバーを内蔵することによって車体への衝撃を解決したものである。
【先行技術文献】
【特許文献】
【０００３】
【特許文献１】  特願平８−１０２９５５号公報
【特許文献２】  特願２００９−１２３５５９号公報
【発明の概要】
【発明が解決しようとする課題】
【０００４】  従来の自転車、および、車輌は走行時における路面の凸凹や段差等の衝撃が大きかった。
本発明は、路面からの衝撃を小さくするためになされたものである。
【課題を解決するための手段】
【０００５】  ショックアブリーバーの外周（１）の内部に中心部の軸受け（３）に向って渦巻状渦巻きバネ（２）を設け、中心部を軸受け（３）とし、ショックアブリーバーの外周（１）と渦巻状渦巻きバネ（２）を外周とバネを固定する鋲（９）によって固定し、なおかつ車軸（１０）とバネを固定する凸凹の組合せ部（８）により固定し、ショックアブリーバーの横ブレを防ぐ座金（７）と車軸（１０）とバネを固定する凸凹の組合せ部（８）を外周とバネを固定する鋲（９）により、同時に固定したことを特徴とした車輪の内部にショックアブリーバーを装着した車輪。
【発明の効果】
【０００６】  ショックアブリーバー内部を渦巻状渦巻きバネにすることによって衝撃を小さくすることができる。
【図面の簡単な説明】
【０００７】
【図１】  本発明の正面図である。
【図２】  本発明のショックアブリーバーの軸受けに重量がかかったときの状態を示した正面図である。
【図３】  本発明のショックアブリーバーを自転車に内蔵した車輪の側面の断面図である。
【図４】  本発明のショックアブリーバーを内蔵した車輪の正面の断面図である。
【発明を実施するための形態】
【０００８】  本発明の実施の形態について説明する。
ショックアブリーバーの外周（１）の内部に中心部の軸受け（３）に向って渦巻状渦巻きバネ（２）を設ける。
中心部を軸受け（３）とし、ショックアブリーバーの外周（１）と渦巻状渦巻きバネ（２）を外周とバネを固定する鋲（９）によって固定する。
なおかつ車軸（１０）とバネを固定する凸凹の組合せ部（８）により固定し、ショックアブリーバーの横ブレを防ぐ座金（７）と車軸（１０）とバネを固定する凸凹の組合せ部（８）を外周とバネを固定する鋲（９）により、同時に固定したことを特徴とした車輪の内部にショックアブリーバーを装着した車輪。
図１は、本発明のショックアブリーバーの内部の渦巻状渦巻きバネが中心部に至り軸受けを形成する形態を示した正面図である。
図２は、本発明のショックアブリーバーに重量がかかったときの状態を示した正面図である。
図３は、本発明のショックアブリーバーを自転車の車輪に内蔵した説明図である。
渦巻状渦巻きバネが衝撃を小さくする理由を説明する。
渦巻状渦巻きバネは、車体の重量を受け下方に移動する。
移動して軸受けに重量がかかったときの中心線（５）である。
重量がかかったときの中心線の移動距離が（６）である。
重量がかかったときの移動距離は、重量とバネの強さにより変化する。
このとき、軸受け（３）は上部からは吊り下げられ、下部からは押し上げられバランスのとれた状態で安定し回転する。
外周（１）は重量に耐え円形を保つ強度にする。
渦巻状渦巻きバネが全方向にゆれ動き吸収し、外輪からの衝撃を小さくする。
従来、車輪からの衝撃を小さくする手段として車輪の内部に、タイヤ付きクッション装置を設けたものもあるが、ショックを吸収する運動範囲が狭く、クッション性が固い。
また、車輪自体の装置として車輪の外側を鋼材、内側を合成樹脂材からなるソフトベアリングがあるが樹脂材の劣化がある。
本発明のショックアブリーバーは、これらに比べ構造が全く違い、クッション性も高くチューブのいらないノーパンクタイヤも可能となる。
本発明は以上の構成よりなる車輪の内部にショックアブリーバーを装着した車輪に関するものである。
【符号の説明】
【０００９】    １  ショックアブリーバーの外周
２  渦巻状渦巻きバネ
３  軸受け
４  ショックアブリーバーの中心線
５  軸受けに重量がかかったときの中心線
６  重量がかかったときの中心線の移動距離
７  ショックアブリーバーの横ブレを防ぐ座金
８  車軸とバネを固定する凸凹の組合せ部
９  外周とバネを固定する鋲
１０  車軸
【図１】
2013216298.tif 000003
【図２】
2013216298.tif 000004
【図３】
2013216298.tif 000005
【図４】
2013216298.tif 000006